(57)【要約】【課題】  梁を床板とほぼ同じ厚さまで扁平化することが可能で施工性にも優れた、梁と床板の接合構造を提供する。【解決手段】  ハーフプレキャストコンクリート床板１、２は、一方向（架設方向）に貫通するボイド（２ａ参照）が並列する穴明き床板である。一方、ハーフプレキャストコンクリート梁３は、梁成に比べて梁幅の広い扁平梁である。ハーフプレキャストコンクリート床板１とハーフプレキャストコンクリート梁３は離間しており、その間には現場打ちコンクリートからなる接合部４が介在し、ハーフプレキャストコンクリート床板１と接合部４は、両端に拡径部５ａを有する棒状鉄筋からなるアンカー筋５によって連結されている。また、ハーフプレキャストコンクリート梁３の下端部はハーフプレキャストコンクリート床板１側に張り出し、接合部４の底部を塞ぐブラケット６を形成している。【選択図】      図２
2006188881.tif 000002
【特許請求の範囲】
【請求項１】
扁平断面を有するハーフプレキャストコンクリート梁上およびハーフプレキャストコンクリート床板上に現場打ちコンクリートが一体的に打設されてなる梁と床板の接合構造であって、
離間する前記ハーフプレキャストコンクリート梁と前記ハーフプレキャストコンクリート床板との間には現場打ちコンクリートからなる接合部が介在し、前記ハーフプレキャストコンクリート床板から延出するアンカー筋が前記接合部内に埋設されていることを特徴とする梁と床板の接合構造。
【請求項２】
前記接合部は、前記ハーフプレキャストコンクリート梁の下端部が側方に張り出したブラケット上に形成されていることを特徴とする請求項１に記載の梁と床板の接合構造。
【請求項３】
前記接合部に接する前記ハーフプレキャストコンクリート床板の端面に凹陥部が形成されていることを特徴とする請求項１または２に記載の梁と床板の接合構造。
【発明の詳細な説明】
【技術分野】
【０００１】
本発明は、梁と床板の接合構造に関し、特に、ハーフプレキャストコンクリート梁上およびハーフプレキャストコンクリート床板上に現場打ちコンクリートが一体的に打設されてなる梁と床板の接合構造に関する。
【背景技術】
【０００２】
超高層鉄筋コンクリート集合住宅では、平面プランの自由度を増すため居室内スラブの大型化や梁の扁平化に対するニーズが高く、スラブとして１方向のハーフプレキャストコンクリート床板などを使用すれば、床厚３００〜４００ｍｍ程度で１０ｍを超えるスパンにも対応することが可能である。
一方、梁はプレキャストコンクリートを使用する場合と現場打ちによる場合があるが、施工性の観点からはプレキャストコンクリートとすることが望ましい。ロングスパンの梁では、プレストレスの導入が必要となる場合が多いが、その際にも梁をプレキャストコンクリートとすることによってプレテンション工法の採用が可能となる。
例えば、特許文献１では、ハーフプレキャストコンクリート梁上部の接合段部にハーフプレキャストコンクリートスラブ板を載置し、その上からコンクリートを打設するスラブ施工法が示されている。
【特許文献１】特開平５−３２１３８４号公報  （第２−３頁、第１図）
【発明の開示】
【発明が解決しようとする課題】
【０００３】
しかしながら、図５に示すように、ハーフプレキャストコンクリート床板Ｓをプレキャストコンクリート梁Ｂで支持するためには、厚さ１５０ｍｍ程度を必要とするブラケットＢａをプレキャストコンクリート梁Ｂの側面に設ける必要があり、梁を床板とほぼ同じ厚さまで扁平化することができないという問題があった。
【０００４】
本発明は、上述する問題点に鑑みてなされたもので、梁を床板とほぼ同じ厚さまで扁平化することが可能で施工性にも優れた、梁と床板の接合構造を提供することを目的とする。
【課題を解決するための手段】
【０００５】
上記目的を達成するため、本発明に係る梁と床板の接合構造は、扁平断面を有するハーフプレキャストコンクリート梁上およびハーフプレキャストコンクリート床板上に現場打ちコンクリートが一体的に打設されてなる梁と床板の接合構造であって、離間する前記ハーフプレキャストコンクリート梁と前記ハーフプレキャストコンクリート床板との間には現場打ちコンクリートからなる接合部が介在し、前記ハーフプレキャストコンクリート床板から延出するアンカー筋が前記接合部内に埋設されていることを特徴とする。
本発明では、扁平なハーフプレキャストコンクリート梁とハーフプレキャストコンクリート床板との間に現場打ちコンクリートからなる接合部を介在させ、当該接合部とハーフプレキャストコンクリート床板とをアンカー筋で連結することにより、梁を床板とほぼ同じ厚さまで扁平化することが可能となる。しかも、梁および床板にプレキャスト部材を使用しているので施工性の向上も併せて図ることができる。
【０００６】
また、本発明に係る梁と床板の接合構造では、前記接合部は、前記ハーフプレキャストコンクリート梁の下端部が側方に張り出したブラケット上に形成されていてもよい。
本発明では、梁と床板間の応力伝達は現場打ちコンクリートからなる接合部を介して行われるため、ブラケットは接合部のコンクリートを打設する際の型枠としての機能のみ有すればよく、従来に比べて格段に薄いブラケットとすることができる。
【０００７】
また、本発明に係る梁と床板の接合構造では、前記接合部に面する前記ハーフプレキャストコンクリート床板の端面に凹陥部が形成されていてもよい。
本発明では、ハーフプレキャストコンクリート床板の端面に形成された凹陥部内に接合部を形成するコンクリートが充填されることにより、接合部とハーフプレキャストコンクリート床板との間にコッターが形成され、梁と床板間の応力伝達がより確実なものとなる。
【発明の効果】
【０００８】
本発明では、扁平なハーフプレキャストコンクリート梁とハーフプレキャストコンクリート床板との間に現場打ちコンクリートからなる接合部を介在させ、当該接合部とハーフプレキャストコンクリート床板とをアンカー筋で連結することにより、梁を床板とほぼ同じ厚さまで扁平化することが可能で施工性にも優れた、梁と床板の接合構造を実現することができる。
【発明を実施するための最良の形態】
【０００９】
以下、本発明に係る梁と床板の接合構造の実施形態について図面に基づいて説明する。
図１は建物の部分平面図である。対象とする建物は、鉄筋コンクリート造の高層または超高層の集合住宅建物である。建物の平面視中央部には吹抜け部Ｖが設けられており、当該吹抜け部Ｖを囲繞するように住戸部Ｒが配置されている。
柱および梁は、建物の外周部および内周部に集中的に配置されており、外周側に配置された外周柱Ｃ１および外周梁Ｈ１からなる外周チューブ架構Ｔ１と、内周側に配置された内周柱Ｃ２および内周梁Ｈ２からなる内周チューブ架構Ｔ２によって構成されるダブルチューブ構造となっている。
【００１０】
図２は図１のＡ−Ａ矢視断面図であり、本発明に係る梁と床板の接合構造の第一の実施形態を示している。具体的には、外周チューブ架構Ｔ１と内周チューブ架構Ｔ２とを連結する連結梁１３とその両側の床板１４、１５の部分断面図である。
連結梁１３および床板１４、１５は、ハーフプレキャストコンクリート梁３およびハーフプレキャストコンクリート床板１、２とその上面に打設された現場打ちコンクリート７からそれぞれ構成される。
【００１１】
ハーフプレキャストコンクリート床板１は連結梁１３と外周梁１６間に架設され、ハーフプレキャストコンクリート床板２は外周梁１７と内周梁１８間に架設されている。従って、ハーフプレキャストコンクリート梁３は、ハーフプレキャストコンクリート床板１の鉛直荷重を負担するが、ハーフプレキャストコンクリート床板２の鉛直荷重を負担することはない。そのため、Ａ−Ａ矢視断面図には、ハーフプレキャストコンクリート梁３とハーフプレキャストコンクリート床板１との接合構造が示されている。
【００１２】
ハーフプレキャストコンクリート床板１、２は、一方向（架設方向）に貫通するボイド（２ａ参照）が並列する穴明き床板である。一方、ハーフプレキャストコンクリート梁３は、梁成に比べて梁幅の広い扁平梁である。
ハーフプレキャストコンクリート床板１とハーフプレキャストコンクリート梁３は離間しており、その間には現場打ちコンクリートからなる接合部４が介在し、ハーフプレキャストコンクリート床板１と接合部４は、両端に拡径部５ａを有する棒状鉄筋からなるアンカー筋５によって連結されている。具体的には、アンカー筋５の一方の端部がハーフプレキャストコンクリート床板１に形成されたボイド内に固定され、他方の端部が接合部４内に埋設されている。拡径部５ａは、アンカー筋５の定着長を確保するために、鉄筋の両端にそれぞれ機械式定着具を装着したものである。
【００１３】
ハーフプレキャストコンクリート梁３の下端部はハーフプレキャストコンクリート床板１側に張り出し、接合部４の底部を塞ぐブラケット６を形成している。これにより、ハーフプレキャストコンクリート梁３の梁成は、ブラケット６の厚さ分だけハーフプレキャストコンクリート床板１、２より厚くなっている。しかし、ブラケット６の厚さは７０ｍｍ程度であり、接合部４のコンクリートを打設する際の型枠としての機能のみ有すればよいため、従来に比べて格段に薄いブラケットとすることができる。
また、ハーフプレキャストコンクリート梁３の梁成の中央部には、複数のＰＣ鋼線８…が梁幅方向に並設されており、各ＰＣ鋼線８にはプレテンション工法によりプレストレスが導入されている。これにより、ロングスパンの場合でも梁成を小さくすることができる。
【００１４】
ハーフプレキャストコンクリート梁３の下端部には梁下端筋１０ａ…が梁幅方向に並設されており、梁下端筋１０ａ…を囲むように、梁下端筋１０ａ…と直交する方向に帯筋９が配設されている。帯筋９は、ハーフプレキャストコンクリート梁３から上方に突出しており、突出した帯筋９の内側に梁上端筋１０ｂが配設される。また、接合部４を補強するためにブラケット６内にも帯筋９が配設され、ブラケット６から上方に突出し、接合部４内に埋設される。
【００１５】
なお、従来工法と異なり、ハーフプレキャストコンクリート床板１、２をハーフプレキャストコンクリート梁３で支持しない構造であるため、施工に際しては、ハーフプレキャストコンクリート床板１、２それぞれを支保工で支持する必要がある。ハーフプレキャストコンクリート床板１、２を支保工で支持した状態で、ハーフプレキャストコンクリート梁３上に梁上端筋１０ｂを配筋した後、ハーフプレキャストコンクリート床板１、２およびハーフプレキャストコンクリート梁３上にスラブ筋１１を配筋し、ハーフプレキャストコンクリート床板１、２およびハーフプレキャストコンクリート梁３上並びに接合部４に現場打ちコンクリート７を打設して連結梁１３と床板１４、１５の一体化を図る。
【００１６】
図３は、本発明に係る梁と床板の接合構造の第二の実施形態を示す図１のＡ−Ａ矢視断面図である。
本実施形態では、ハーフプレキャストコンクリート床板２１、２２として、第一の実施形態で使用した穴明き床板に代えて逆Ｔ型床板を使用する。逆Ｔ型床板は、上方に突出する突条部２１ａ、２２ａが一方向（架設方向）に形成されたものである。
また、接合部２４に接するハーフプレキャストコンクリート床板２１の端面には、突条部２１ａの位置に凹陥部２１ｂが形成されている。接合部２４を形成するコンクリートが凹陥部２１ｂ内に充填されることにより、接合部２４とハーフプレキャストコンクリート床板２１との間にコッターが形成され、接合部２４とハーフプレキャストコンクリート床板２１間の応力伝達がより確実なものとなる。
なお、本実施形態におけるアンカー筋２５は単なる棒状鉄筋とし、ハーフプレキャストコンクリート床板２１上に一端が定着され、他端が接合部２４内に埋設される。
【００１７】
第一および第二の実施形態による梁と床板の接合構造では、扁平なハーフプレキャストコンクリート梁３、２３とハーフプレキャストコンクリート床板１、２１との間に現場打ちコンクリートからなる接合部４、２４を介在させ、当該接合部４、２４とハーフプレキャストコンクリート床板１、２１とをアンカー筋５、２５で連結することにより、連結梁１３を床板１４、１５とほぼ同じ厚さまで扁平化することが可能となる。しかも、連結梁１３および床板１４、１５にプレキャスト部材を使用しているので施工性の向上も併せて図ることができる。
また、第一および第二の実施形態による梁と床板の接合構造では、連結梁１３にプレキャスト部材を使用しているので、プレストレスを導入する場合にプレテンション工法を適用することができる。そのため、現場におけるプレストレスの管理が不要となり、ポストテンション工法に比べて大幅に施工性を改善することができる。
【００１８】
図４は、本発明に係る梁と床板の接合構造の第三の実施形態を示す図１のＡ−Ａ矢視断面図である。
本実施形態では、第二の実施形態におけるブラケット２６を無くしたものである。施工時には、接合部３４の底面を型枠３６で塞ぎ、現場打ちコンクリート３７を打設する。
【００１９】
第三の実施形態による梁と床板の接合構造ではブラケット２６が形成されていないので、ハーフプレキャストコンクリート梁３３の梁成をハーフプレキャストコンクリート床板３１、３２とほぼ同じとし、梁形を無くすことができる。
【００２０】
以上、本発明に係る梁と床板の接合構造の実施形態について説明したが、本発明は上記の実施形態に限定されるものではなく、その趣旨を逸脱しない範囲で適宜変更可能である。例えば、上記の実施形態では、ハーフプレキャストコンクリート梁の一方の側面にのみブラケットを設けているが、ハーフプレキャストコンクリート梁の両側に接続部が形成される場合は、ハーフプレキャストコンクリート梁の両側面にそれぞれブラケットを設けてもよい。要は、本発明において所期の機能が得られればよいのである。
【図面の簡単な説明】
【００２１】
【図１】建物の部分平面図である。
【図２】本発明に係る梁と床板の接合構造の第一の実施形態を示す図１のＡ−Ａ矢視断面図である。
【図３】本発明に係る梁と床板の接合構造の第二の実施形態を示す図１のＡ−Ａ矢視断面図である。
【図４】本発明に係る梁と床板の接合構造の第三の実施形態を示す図１のＡ−Ａ矢視断面図である。
【図５】従来のプレキャストコンクリート梁とハーフプレキャストコンクリート床板との接合部を示す立断面図である。
【符号の説明】
【００２２】
１、２、２１、２２、３１、３２  ハーフプレキャストコンクリート床板
２ａ  ボイド
３、２３、３３  ハーフプレキャストコンクリート梁
４、２４、３４  接合部
５、２５、３５  アンカー筋
５ａ  拡径部
６、２６  ブラケット
７、２７、３７  現場打ちコンクリート
８、２８、３８  ＰＣ鋼線
９、２９、３９  帯筋
１０ａ  梁下端筋
１０ｂ  梁上端筋
１１  スラブ筋
１３  連結梁
１４、１５  床板
２１ｂ  凹陥部
２１ａ、２２ａ  突条部
３６  型枠
Ｓ  ハーフプレキャストコンクリート床板
Ｂ  プレキャストコンクリート梁
Ｂａ  ブラケット
【図１】
2006188881.tif 000003
【図２】
2006188881.tif 000004
【図３】
2006188881.tif 000005
【図４】
2006188881.tif 000006
【図５】
2006188881.tif 000007